(57)【要約】【課題】軸筒の後端部に配設したノック部材を押圧せしめることで、前記筆記体の筆記先端部を、軸筒の先端開口部から選択的に出没可能な多芯筆記具において、同色を繰り返し使用する場合にもノック作動が容易な多芯筆記具を簡単な構造で提供する。【解決手段】軸筒内に複数の筆記体を配設し、軸筒の後端部に配設したノック部材を押圧せしめることで、ノック部材に連動した押圧部材の押圧部が、軸筒の軸心に対し偏心した位置で、かつ複数の筆記体の一本だけ押圧し、該筆記体の筆記先端部を、軸筒の先端開口部から出没可能な回転カムによる出没機構を有する多芯筆記具であって、前記ノック部材に連動した押圧部材の押圧部が、ノック部材の回転に連動し、複数の筆記体の一本の後端部に位置出し可能とする【選択図】　　　図１
2004025781.tif 000002
【特許請求の範囲】
【請求項１】
軸筒内に複数の筆記体を配設し、軸筒の後端部に配設したノック部材を押圧せしめることで、ノック部材に連動した押圧部材の押圧部が、軸筒の軸心に対し偏心した位置で、かつ複数の筆記体の一本だけ押圧し、該筆記体の筆記先端部を、軸筒の先端開口部から出没可能な回転カムによる出没機構を有する多芯筆記具であって、前記ノック部材に連動した押圧部材の押圧部が、ノック部材の回転に連動し、複数の筆記体の一本の後端部に位置出し可能としたことを特徴とする多芯筆記具。
【請求項２】
軸筒内に複数の筆記体を配設し、軸筒の後端部に配設したノック部材を押圧せしめることで、ノック部材に連動した押圧部材の押圧部が、軸筒の軸心に対し偏心した位置で、かつ複数の筆記体の一本だけ押圧し、該筆記体の筆記先端部を、軸筒の先端開口部から出没可能な回転カムによる出没機構を有する多芯筆記具であって、前記軸筒後端部に軸筒に対し回転可能な回転部材を装着するとともに、前記ノック部材に連動した押圧部材の押圧部が、前記回転部材の回転に連動し、複数の筆記体の一本の後端部に位置出し可能としたことを特徴とする多芯筆記具。
【発明の詳細な説明】
【０００１】
【発明の属する技術分野】
本発明は、軸筒内に、複数の筆記体を配設してなる多芯筆記具に関し、さらに詳しくは、軸筒の後端部に配設したノック部材を押圧せしめることで、前記筆記体の筆記先端部を、軸筒の先端開口部から選択的に出没可能な多芯筆記具に関する。
【０００２】
【従来の技術】
従来から、軸筒内に複数の筆記体を配設し、軸筒の後端に配設したノック部材を押圧せしめることで、前記筆記体の筆記先端部を、軸筒の先端開口部から選択的に出没可能な多芯筆記具はよく知られている。
【０００３】
こうした多芯筆記具の出没機構は、筆記体を複数配設するため、筆記体は軸筒の軸心に対し偏心した位置に配設されているので、ノック部材に連動した振り子部材が、軸筒の回転に関係なく常に重力が加わる方向に位置し、該振り子に対向した位置に配設された筆記体を選択的に出没可能な振り子式の多芯筆記具や、実開昭６３−２５５８５号「複合筆記具」に開示されているように、回転カム機能によって、ノック部材に連動した押し部が回転し、軸筒の先端開口部から選択的に出没可能とするものであった。
【０００４】
【発明が解決しようとする課題】
しかし、前記従来の多芯筆記具は、例えば軸筒内に黒色、赤色等の２色の筆記体を配設した場合に、振り子式の多芯筆記具は、振り子に対向した位置の筆記体、例えば黒色の筆記体が出没した場合、同色を繰り返し使用する場合でも、黒色の筆記体が出没した位置（黒色の筆記体に振り子が位置する重力が加わる方向）に軸筒を設定する必要があった。また、回転カム機能によって、ノック部材に連動した押し部が回転し、軸筒の先端開口部から選択的に出没可能な多芯筆記具は、黒色の筆記体を出没させた後、再度黒の黒色の筆記体を突出状態にするには、一度赤色の筆記体を出没させる必要があった。
【０００５】
本発明者は上記問題を鑑み、軸筒の後端部に配設したノック部材を押圧せしめることで、前記筆記体の筆記先端部を、軸筒の先端開口部から選択的に出没可能な多芯筆記具において、同色を繰り返し使用する場合にもノック作動が容易な多芯筆記具を提供することを目的とするものである。
【０００６】
【課題を解決するための手段】
本発明は、軸筒内に複数の筆記体を配設し、軸筒の後端部に配設したノック部材を押圧せしめることで、ノック部材に連動した押圧部材の押圧部が、軸筒の軸心に対し偏心した位置で、かつ複数の筆記体の一本だけ押圧し、該筆記体の筆記先端部を、軸筒の先端開口部から出没可能な回転カムによる出没機構を有する多芯筆記具であって、前記ノック部材に連動した押圧部材の押圧部が、ノック部材の回転に連動し、複数の筆記体の一本の後端部に位置出し可能とするものである。
【０００７】
また、軸筒内に複数の筆記体を配設し、軸筒の後端部に配設したノック部材を押圧せしめることで、ノック部材に連動した押圧部材の押圧部が、軸筒の軸心に対し偏心した位置で、かつ複数の筆記体の一本だけ押圧し、該筆記体の筆記先端部を、軸筒の先端開口部から出没可能な回転カムによる出没機構を有する多芯筆記具であって、前記軸筒後端部に軸筒に対し回転可能な回転部材を装着するとともに、前記ノック部材に連動した押圧部材の押圧部が、前記回転部材の回転に連動し、複数の筆記体の一本の後端部に位置出し可能とするものである。
【０００８】
【発明の実施の形態】
本発明の実施の形態を、図面を用いて説明する。図面中、同一部材および同一箇所を示すものは同一符号を付してある。
図１から図５に示す、第１の実施の形態の多芯筆記具１は、前軸２の後端部に後軸３を螺着して軸筒を構成し、さらに軸筒後端部にクリップ５を有する頭冠部材４を装着してある。また、前軸２の把持部にはグリップ部材２０を装着してある。
【０００９】
前軸２内および後軸３内に、後軸３に付設した位置出し部材１９の位置出し孔（図示せず）を通過するように、インキ色が黒色の筆記体（ボールペン体）１１とインキ色が赤色の筆記体（ボールペン体）１４を、弾発部材１７、１８により頭冠部材４の後端部４ａ方向に付勢させ収納する。筆記体１１は、インキ収容筒内に剪断減粘性を付与した黒色のインキ（図示せず）とインキの後端に、インキの消費に伴なって追従するインキ追従体（図示せず）を収容し、インキ収容筒の先端に、ボールを回転自在に抱持した筆記先端部１２（ボールペンチップ）を圧入装着した構造である。筆記体１４はインキ色が赤色以外は筆記体１１と同様に、インキ収容筒内に剪断減粘性を付与した赤色のインキ（図示せず）とインキの後端に、インキの消費に伴なって追従するインキ追従体（図示せず）を収容し、インキ収容筒の先端に、ボールを回転自在に抱持した筆記先端部１５（ボールペンチップ）を圧入装着した構造である。
【００１０】
筆記体１１を使用するには、先ず、頭冠部材４の後端部４ａより外方に突出したノック部材６を回転（図３の矢印Ｆ又はＭ方向）させ、後軸３の外周面に表示した矢印２１とノック部材６に表示した黒色（ＢＬＡＣＫ）の矢印２２を一致させる。この時、ノック部材６の係合孔６ａに押圧部材８の突部８ｂを係合することにより、ノック部材６の回転に連動して押圧部材８も回転し、押圧部材８の押圧部８ａが筆記体１１の後端部に位置するように設定する。ノック部材６は、３６０度回転可能に配設してあるので、ノック部材６の回転方向（図３の矢印Ｆ又はＭ方向）は限定されない。次に、コイルスプリング１０によって頭冠部材４の後端部４ａ方向に付勢したノック部材６を先端開口部２ａ方向に押圧せしめることで、ノック部材６に押し棒９が連動し、回転カム７がカム溝（図示せず）に沿って回転しながら前方向に作動する。この回転カム７の前後方向の作動のみに連動する押圧部材８の押圧部８ａにより、筆記体１１の後端部に付設した被押圧部材１３を押圧し、筆記先端部１２を先端開口部２ａから突出させて使用することができる。
【００１１】
その後、筆記体１４を使用するには、再度ノック部材６を先端開口部２ａ方向に押圧せしめ、回転カム７の作用により筆記体１１の筆記先端部１２を先端開口部２ａから没入させ、次に、ノック部材６を回転させて、後軸３の外周面に表示した矢印２１とノック部材６に表示した表示部の赤色の矢印（図示せず）を一致させる。この時、ノック部材６の係合孔６ａに押圧部材８の突部８ｂを係合することにより、ノック部材６の回転（図３の矢印Ｆ又はＭ方向）に連動して押圧部材８も回転し、押圧部材８の押圧部８ａが筆記体１４の後端部に位置する。また、ノック部材６は、３６０度回転可能に配設してあるので、ノック部材６の回転方向（図３の矢印Ｆ又はＭ方向）は限定されない。次に、ノック部材６を先端開口部２ａ方向に押圧することにより、押圧部材８の押圧部８ａが筆記体１４の後端部に付設した被押圧部材１６を押圧し、筆記先端部１５を先端開口部２ａから突出させて使用することができる。また、クリップ部材５の位置に関係なく使用することができる。
【００１２】
本実施の形態では、押圧部材８に形成した突部８ｂとノック部材６に形成した嵌合孔６ａを係合することにより、押圧部材８をノック部材６の前後方向及び回転方向に連動可能に配設しているが、配設方法は特に限定されるものでない。
【００１３】
図６から図１１に示す、第２の実施の形態の多芯筆記具５１は、前軸５２の後端部に後軸５３を螺着して軸筒を構成し、さらに軸筒後端部に頭冠部材（回転部材）５４を、後軸５３の係合突起５３ａと頭冠部材５４の係合突起５４ｂとの乗り越し嵌合により、後軸５３に対し頭冠部材５４を回転可能に装着してある。また、前軸５２の把持部にはグリップ部材７０を装着してある。
【００１４】
前軸５２内および後軸５３内に、後軸５３に付設した位置出し部材６９の位置出し孔（図示せず）を通過するように、第１の実施の形態と同様に、インキ色が黒色の筆記体（ボールペン体）１１とインキ色が赤色の筆記体（ボールペン体）１４を、弾発部材１７、１８により頭冠部材５４の後端部５４ａ方向に付勢させ収納してある。
【００１５】
筆記体１１を使用するには、先ず、頭冠部材５４を回転（図８の矢印Ｆ又はＭ方向）させ、後軸５３の外周面に表示した矢印７１と、頭冠部材５４の外周面に表示したの黒色（ＢＬＡＣＫ）の矢印７２を一致させる。この時、後軸５３の係合突起５３ａと頭冠部材５４の係合突起５４ｂとの乗り越し嵌合により、後軸５３に対し頭冠部材５４を回転可能に装着し、頭冠部材５４内に突部５４ｃを形成し、この突部５４ｃによって得られる溝５４ｄに押圧部材５８の突部５８ｂを軸心方向に摺動可能に遊嵌することにより、頭冠部材５４の回転（図８の矢印Ｆ又はＭ方向）に連動して押圧部材５８も回転し、押圧部材５８の押圧部５８ａが筆記体１１の後端部に位置するように設定する。頭冠部材５４は、３６０度回転可能に配設してあるので、頭冠部材５４の回転方向（図８の矢印Ｆ又はＭ方向）は限定されない。次に、コイルスプリング６０によって頭冠部材５４の後端部５４ａ方向に付勢したノック部材５６を先端開口部５２ａ方向に押圧せしめることで、ノック部材５６に連動した回転カム５７がカム溝７３に沿って回転しながら前方向に作動する。この回転カム５７の前後方向の作動のみに連動する押圧部材５８の押圧部５８ａにより、筆記体１１の後端部に付設した被押圧部材１３を押圧し、筆記先端部１２を先端開口部５２ａから突出させて使用することができる。
【００１６】
その後、筆記体１４を使用するには、再度ノック部材５６を先端開口部５２ａ方向に押圧せしめ、回転カム５７の作用により筆記体１１の筆記先端部１２を先端開口部５２ａから没入させ、次に、頭冠部材５４を回転させて、後軸５３の外周面に表示した矢印７１と頭冠部材５４に表示した赤色の矢印（図示せず）を一致させる。この時、頭冠部材５４の回転（図８の矢印Ｆ又はＭ方向）に連動して押圧部材５８も回転し、押圧部材５８の押圧部５８ａが筆記体１４の後端部に位置する。また、頭冠部材５４は、３６０度回転可能に配設してあるので、頭冠部材５４の回転方向（図８の矢印Ｆ又はＭ方向）は限定されない。次に、ノック部材５６を先端開口部５２ａ方向に押圧することにより、押圧部材５８の押圧部５８ａが筆記体１４の後端部に付設した被押圧部材１６を押圧し、筆記先端部１５を先端開口部５２ａから突出させて使用することができる。
【００１７】
本発明の多芯筆記具は、一度筆記体の筆記先端部を軸筒先端開口部から没入させても同色を繰り返し使用する場合には、そのままノック部材を軸筒先端開口部方向に押圧すればよい。
【００１８】
また、本発明の多芯筆記具は、前述したボールペン体が２本の多芯筆記具に限定されるものではなく、ボールペン体３本や４本、シャープペンシル体とボールペン体、あるいはシャープペンシル体３本など、一般に知られている多芯筆記具に用いることができる。
【００１９】
【発明の効果】
本発明は、前述したような構成なので、同色を繰り返し使用する場合にもノック作動が容易な多芯筆記具を簡単な構造で提供することができた。
【図面の簡単な説明】
【図１】第１の実施の形態における多芯筆記具を示す縦断面図である。
【図２】図１における筆記体を突出した状態を示す縦断面図である。
【図３】第１の実施の形態における多芯筆記具を示す外観図である。
【図４】図１における一部を省略した要部拡大断面図である。
【図５】図１におけるＡ−Ａ拡大断面図である。
【図６】第２の実施の形態における多芯筆記具を示す縦断面図である。
【図７】図６における筆記体を突出した状態を示す縦断面図である。
【図８】第２実施の形態における多芯筆記具を示す外観図である。
【図９】図６における一部を省略した要部拡大断面図である。
【図１０】図６におけるＢ−Ｂ拡大断面図である。
【図１１】図６におけるＣ−Ｃ拡大断面図である。
【符号の説明】
１、５１　多芯筆記具
２、５２　前軸
２ａ、５２ａ　先端開口部
３、５３　後軸
４　頭冠部材
５　クリップ部材
６、５６　ノック部材
７、５７　回転カム
８、５８　押圧部材
１１、１４　筆記体
１２、１５　筆記先端部
２１、７１　軸筒の矢印
２２　ノック部材の矢印
７２　頭冠部材の矢印
【図１】
2004025781.tif 000003
【図２】
2004025781.tif 000004
【図３】
2004025781.tif 000005
【図４】
2004025781.tif 000006
【図５】
2004025781.tif 000007
【図６】
2004025781.tif 000008
【図７】
2004025781.tif 000009
【図８】
2004025781.tif 000010
【図９】
2004025781.tif 000011
【図１０】
2004025781.tif 000012
【図１１】
2004025781.tif 000013